(57)【要約】      （修正有）【課題】光ファイバ心線を保護する為の擬似コードを使用し、これを光成端箱に保持する為の保持体を提供して、光ファイバ同士の接続点および／または接続回数を減じることのできる構造体および方法の提供。【解決手段】光ファイバ心線５０が挿通されるチューブ５１の外側に、内側を補強繊維層で補強した外被を被覆してなる擬似コード２０の端末処理構造であって、擬似コード２０の端部側に剛性を有する筒状体５４を外装すると共に、当該筒状体５４から出ている擬似コード２０の端部側の補強繊維層を露出させ、更に当該補強繊維層を前記筒状体５４の外面に沿って折り返して、その外側を熱収縮チューブ５５にて一体に固定したことを特徴とする光ファイバ用擬似コード２０の端末処理構造とする。【選択図】図６
2008096847.tif 000002
【特許請求の範囲】
【請求項１】
光ファイバ心線が挿通されるチューブの外側に、内側を補強繊維層で補強した外被を被覆してなる擬似コードの端末処理構造であって、
擬似コードの端部側に剛性を有する筒状体を外装すると共に、当該筒状体から出ている擬似コードの端部側の補強繊維層を露出させ、更に当該補強繊維層を前記筒状体の外面に沿って折り返して、その外側を熱収縮チューブにて一体に固定したことを特徴とする光ファイバ用擬似コードの端末処理構造。
【請求項２】
前記熱収縮チューブは、収縮後の長さが前記筒状体よりも長くなる様に構成され、且つ
筒状体を覆う部分とチューブ又はコードを覆う部分との間には段差部が設けられている、請求項１記載の光ファイバ用擬似コードの端末処理構造。
【請求項３】
前記熱収縮チューブは、収縮後の長さが前記筒状体よりも長くなる様に構成されており、且つ
筒状体よりも擬似コード側に伸びる熱収縮チューブの長さは、筒状体よりもチューブ側（心線が挿通されるコード）に伸びる熱収縮チューブの長さよりも長く形成されている、請求項１又は２記載の光ファイバ用擬似コードの端末処理構造。
【請求項４】
前記擬似コードの外被と熱収縮チューブとの間に接着剤が充填されている、請求項１乃至３記載の光ファイバ用擬似コードの端末処理構造。
【請求項５】
請求項１乃至４記載の端末処理構造を有する光ファイバ用擬似コードを光成端箱に保持する保持体であって、
当該保持体は、ケースとカバーとで形成されると共に、
当該保持体形状を光成端箱に設けられる光ファイバコネクタと略同一のモジュールに形成したことを特徴とする光ファイバ擬似コードの保持体。
【請求項６】
前記保持体内には光ファイバ用擬似コードの端末処理構造部分を収容し、
当該保持体内には、擬似コードに張力が掛かった時に前記端末処理構造の段差部を支持する張力受部を設けた、請求項５記載の光ファイバ擬似コードの保持体。
【請求項７】
前記保持体内には光ファイバ用擬似コードの端末処理構造部分を収容し、
当該保持体内には、前記筒状体を被覆している熱収縮チューブの外側を把持する外被把持部を設けた、請求項５又は６記載の光ファイバ擬似コードの保持体。
【請求項８】
光ファイバコネクタの装着部を備える光成端箱であって、
当該光ファイバコネクタの装着部に、請求項５乃至７記載の光ファイバ擬似コードの保持体を装着したことを特徴とする、光成端箱。
【請求項９】
単位長さに切断された複数心の光ファイバ心線と、
光ファイバ心線が挿通されるチューブの外側に、内側を補強繊維層で補強した外被を被覆してなる複数の光ファイバ用擬似コードとを備え、
前記複数心の光ファイバ心線の一端を心数分に分割して夫々を前記擬似コードのチューブ内に挿通させると共に、
当該光ファイバ用擬似コードの基端側には請求項１乃至４記載の端末処理構造を形成して、当該端末処理構造体を保持体内に収容固定し、
更に、当該光ファイバ心線を挿通させた光ファイバ用擬似コードの先端側に光ファイバプラグを接続したことを特徴とする、光ファイバ接続用簡易端末処理構造体。
【請求項１０】
単位長さに切断された複数心の光ファイバ心線と、
光ファイバ心線が挿通されるチューブの外側に、内側を補強繊維層で補強した外被を被覆してなる１又は２以上の光ファイバ用擬似コードとを備え、
前記複数心の光ファイバ心線の一端を心数分に分割し、少なくとも一本の光ファイバ心線の先端に光ファイバジャックを接続すると共に、残りの光ファイバ心線の夫々を前記擬似コードのチューブ内に挿通させ、
当該光ファイバ用擬似コードの基端側には請求項１乃至４記載の端末処理構造を形成して、当該端末処理構造体を保持体内に収容固定し、
更に、当該光ファイバ心線を挿通させた光ファイバ用擬似コードの先端側に光ファイバプラグを接続したことを特徴とする、光ファイバ接続用簡易端末処理構造体。
【請求項１１】
前記保持体として、請求項５乃至７に記載の保持体が使用されている請求項９又は１０記載の光ファイバ接続用簡易端末処理構造体。
【請求項１２】
光ファイバコネクタの装着部が複数形成されている光成端箱であって、
当該装着部の１又は２以上には、前記請求項９乃至１１記載の光ファイバ接続用簡易端末処理構造体における、保持体又は光ファイバジャックが装着されていることを特徴とする、光成端箱。
【請求項１３】
請求項１２に記載の光成端箱を使用した光成端箱の施工方法であって、
外部から引き込まれた複数心の光ファイバ心線と、前記光成端箱を構成する光ファイバ接続用簡易端末処理構造体の複数心の光ファイバ心線とを融着する工程を含むことを特徴とする、光成端箱の施工方法。
【発明の詳細な説明】
【技術分野】
【０００１】
本発明は、光ファイバ心線を挿通させることのできる光ファイバ用擬似コードの端末処理構造に関し、更にこの端末処理構造を有する光ファイバ用擬似コードを光成端箱に保持する保持体、当該光ファイバ用擬似コード内に光ファイバ心線を挿通してなる光ファイバ接続用簡易端末処理構造体、並びに当該光ファイバ接続用簡易端末処理構造体を用いて形成された光成端箱に関する。
【背景技術】
【０００２】
光通信などに利用されている光ファイバケーブル（以下では、「光ファイバ」又は「光ケーブル」ということもある）は、屋外から建物等の内部に設けられた光成端箱に導かれて、当該光成端箱において、屋内配線用の光ファイバコネクター（ジャック）が接続されたり、或いは先端に光ファイバコネクター（プラグ）が接続された光ファイバコードと接続されている。しかしながら、多心光ファイバケーブルで引き込まれた光ファイバを１心の光ファイバコードに接続変換するには１心毎に接続加工しなければ成らず、非常に煩雑な加工を強いられていた。例えば、外部から光成端箱内に多心光ファイバケーブルを導き、これに屋内配線用の光ファイバコード（先端に光ファイバプラグが接続された光ケーブル）心線を接続する際には、外部から導かれた多心光ファイバケーブルを心線毎に分割し、分割したそれぞれの心線について屋内配線用の光ファイバコード心線を接続加工しなければならなかった。
【０００３】
また、光成端箱内に導かれた光ファイバケーブルは、ケーブル同士の接続がし易いように余長部分が設けられており、この余長部分は、光成端箱の小型化を図るために被覆樹脂が除去された心線の状態で光成端箱内に巻回して収納されている。
【０００４】
このような心線同士の接続方法は、例えば特許文献１（特開昭６２−２１２６０７号公報）に開示されている。この特許文献は、光ファイバ心線の接続部を補強材からなる筒状部材で囲繞して、その外周部に熱収縮シリコンゴムチューブを設ける光ファイバ心線接続部の補強方法に関するものであるが、この補強方法を実施する前提として、２本のプラスチック被覆光ファイバ心線同士を融着接続する事が記載されている。
【０００５】
また特許文献２（特開昭６３―１４９６２２号公報）には、光ファイバケーブル端子の形成方法が開示されており、当該端子の形成に際して剛性スリーブを使用することが提案されている。しかし、これは電気光学部品ハウジング内に光ファイバを引き込む為の端末構造に関するものであり、云わば屋内配線用の光ケーブルを光成端箱内に導く際に、当該ケーブルの光成端箱側に端子を形成するものである。
【０００６】
更に、光成端箱に関する先行文献として、特許文献３（特開２００６−２２０９７８号公報）が存在する。この特許文献は、分電盤内に設置することができるようにコンパクトに構成した分電盤実装用光コンセントに関するものであるが、その中に、４心のファイバ心線を４つに分岐して、それぞれに光ファイバジャックに接続することが記載されている。
【特許文献１】特開昭６２−２１２６０７号公報
【特許文献２】特開昭６３―１４９６２２号公報
【特許文献３】特開２００６−２２０９７８号公報
【発明の開示】
【発明が解決しようとする課題】
【０００７】
光ファイバを現場で融着接続することは非常に難しく、接続点が増えればそれだけ融着コストが嵩み、また光信号の減衰に繋がる。このため光ケーブルを配線する際には、光ファイバ同士の接続回数をできるだけ少なくすることが望ましい。
【０００８】
そこで本発明は、第一に、可能な限り光ファイバ同士の接続点および／または接続回数を減じることのできる構造体および方法を提供することを課題とし、さらには、例えば一般家庭での使用にあたって、一般的に住戸内に引き込みが必要とされる４心光ファイバケーブルは二次被覆を剥ぐと４心光ファイバ心線が出てくるので、４心光ファイバケーブルと４心光ファイバ心線は一括融着接続でき、融着工数が削減できるが、その接続した他端の４心光ファイバ心線を分割して４本の１心光ファイバコードに加工するには擬似コードを使用して、光ファイバ擬似コードにする必要があった。
しかしながら、擬似コードはチューブに光ファイバ心線を挿通し、ケブラ補強し外被を施す構造である為、光ファイバ擬似コードの外側を締め付け固定してもチューブが変形する為に内部の光ファイバ心線に悪影響を及ぼす可能性があり、従来の光ファイバコードを固定する外被の外側を締め付ける手段では光ファイバ擬似コードを確実に固定することはできなかった。
【０００９】
また光成端箱から屋内配線用の光ケーブルを引き出す際には、心線内の光ファイバが切断されたり、光信号の送信に好ましくない屈曲部分などが生じることの無い様に、心線の外側を保護する為のコードが必要になり、更にこのコードが光成端箱から抜け出ることの無い様に、これを光成端箱に保持することが必要になる。
【００１０】
そこで本発明では、光ファイバ心線を保護する為の擬似コードを使用し、擬似コードの固定手段としての外被端末処理構造を提供し、この外被端末処理部を光成端箱に保持するための保持体を提供することを課題とする。
【課題を解決するための手段】
【００１１】
上記課題の少なくとも１つを解決する為に、本発明は光ファイバ用の擬似コード（以下、単に「擬似コード」ともいう）を光成端箱に保持・固定できるようにする端末処理構造を提供する。
【００１２】
即ち、光ファイバ心線が挿通されるチューブの外側に、内側を補強繊維層で補強した外被を被覆してなる擬似コードの端末処理構造であって、擬似コードの一端部側に剛性を有する筒状体を外装すると共に、当該筒状体から出ている擬似コードの端部側の補強繊維層を露出させ、更に当該補強繊維層を前記筒状体の外面に沿って折り返して、その外側を熱収縮チューブにて一体に固定したことを特徴とする光ファイバ用擬似コードの端末処理構造である。
【００１３】
上記の光ファイバ用擬似コードは、コードの外被の中にケブラー（登録商標）等のような比較的柔軟性のある抗張力体の合成繊維からなる層（補強繊維層）を形成し、その中に、光ファイバ心線を通す事のできる、外径約０．９ｍｍ程度のチューブを設けたものである。このような擬似コードのチューブ内に光ケーブル心線を通すことにより、光ファイバケーブルと略同様に配線し、かつ使用することができる。
【００１４】
擬似コードの一端部側に外装される筒状体は、所定の長さを有する筒状に形成されたものであり、或る程度の剛性を有するものとして形成される。擬似コードを光成端箱に保持する際に一定の圧力を加えた場合であっても、擬似コード内のチューブの変形を阻止できるようにする為である。このような筒状体としては、金属、セラミックスおよび合成樹脂などで形成することができる。特に合成樹脂で形成する場合は、当該筒状体の外側には熱収縮チューブを外装する関係上、加熱処理が施されることから、当該加熱処理時に変形することの無い程度の耐熱性を有することが望ましい。かかる筒状体は、その内部空間に擬似コードを通し、擬似コードの外被を剥いで補強繊維層を露出させた部分が当該筒状体から突出するようにして配置される。この筒状部から突出している補強繊維層は、当該筒状部の外周面に沿うように折り返される。
【００１５】
そして筒状部の外周面に沿うように折り返された補強繊維層の外側には、熱収縮チューブを被せ、当該熱収縮チューブを加熱して収縮させることにより、擬似コードと筒状体とを一体化させる。かかる熱収縮チューブとしては、ポリオレフィン、弾性ネオプレン、フロロプラスチック等から形成された市販のものを使用することができ、望ましくは擬似コードの耐熱温度よりも低い温度で熱収縮するものが使用される。
【００１６】
以上の様な端末処理構造を光ファイバ用の擬似コードに施せば、当該擬似コードのチューブ内に光ファイバ心線を挿通した後、これを光成端箱に挟持などにより保持・固定した場合であっても、当該光ファイバ心線に損傷を生じさせることなく、確実に保持・固定することができる。
【００１７】
また本発明における端末処理構造においては、上記熱収縮チューブとして、収縮後の長さが前記筒状体よりも長くなる様に構成したものを使用し、且つ筒状体を覆う部分とチューブ又はコードを覆う部分との間には段差部を設けることが望ましい。
【００１８】
熱収縮チューブとして、収縮後の軸方向長さが筒状体よりも長くなる様なものを用いることにより、当該熱収縮チューブは、擬似コードの外被と、筒状体から突出して内側に心線を通したチューブとを覆うことができる。また段差部を設けることにより、当該段差部を支持固定する構造体によって、摩擦力に頼らない保持を実現することができる。このような段差部は、筒状体の厚みによって形成する他、熱収縮チューブの厚みや、他の部材を外装することによっても形成することができる。
【００１９】
更に、収縮後の長さが前記筒状体よりも長くなる様に調整された熱収縮チューブは、筒状体よりも擬似コード側に伸びる熱収縮チューブの長さが、筒状体よりもチューブ側（心線が挿通されるコード）に伸びる熱収縮チューブの長さよりも長く形成されている事が望ましい。当該端末処理構造が形成された部分を、光成端箱に設置される保持体内に収容した際、当該保持体と擬似コード外被との間に熱収縮チューブを存在させることにより、当該擬似コードの外被を保護する為である。
【００２０】
前記擬似コードの外被と熱収縮チューブとの間に接着剤を充填すれば、当該接着剤の接着力によって、一層確実に熱収縮チューブと擬似コードとを一体化することができる。特に、光成端箱に設置される保持体が熱収縮チューブを保持する場合においては、当該擬似コードだけが抜け出てしまう虞を極力なくすことができる。なお、擬似コードの外被と熱収縮チューブとの間に接着剤を充填する以外にも、予め接着剤を内面に付着させた市販の接着剤付熱収縮チューブを使用してもよい。
【００２１】
また本発明では、前記課題の少なくとも１つを解決する為の光ファイバ擬似コードの保持体を提供する。即ち、上記本発明にかかる端末処理構造を有する光ファイバ用擬似コードを光成端箱に保持する保持体であって、当該保持体は、ケースとカバーとで保持体が形成されると共に、保持体形状を光成端箱に設けられる光ファイバコネクタと略同一のモジュールに形成した光ファイバ擬似コードの保持体である。
【００２２】
当該保持体は、ケースとカバーとで保持体を構成していることから、前記光ファイバ用擬似コードにおける、端末処理構造が形成された部分をケース内に収容した後に、その収容された空間をカバーで閉塞することができる。更に、この保持体形状を光ファイバコネクターと略同一形状に形成することにより、光成端箱に光ファイバコネクターを設置するか、あるいは光ファイバ用擬似コードを保持した保持体を設置するかを任意に選択することが可能になる。例えば、光ファイバコネクターの装着部が４つ形成されている光成端箱において、その内の２つの装着部に光ファイバコネクターを設置し、残りの２つの装着部に、先端に光ファイバプラグが設けられた光ファイバ用擬似コードを保持する保持体を設置するなど、コネクターと保持体の設置個数を任意に調整することができる。
【００２３】
特に、擬似コードを確実に光成端箱（直接的には保持体内）に保持する為には、当該保持体内に、擬似コードに張力が掛かった時に前記端末処理構造の段差部を支持する張力受部を設ける事が望ましい。かかる張力受部は、端末処理構造に形成された段差部を支える部分であり、例えば段差部の外形よりも小径になっている部分を形成して、当該段差部のすり抜けを阻止するように形成することができる。
【００２４】
また、擬似コードを確実に光成端箱（直接的には保持体内）に保持する構造として、当該保持体内収容される端末処理構造部分の熱収縮チューブ（特に、筒状体を被覆している部分）外側を把持する外被把持部を、当該保持体内に形成することが望ましい。かかる外被把持部は楔状に突起する１又は２以上の突起部からなるものとして形成することができ、例えば当該突起部を前記張力受部間に形成することができる。
【００２５】
上記保持体を、光成端箱における光ファイバコネクタの装着部に装着することにより、従来の光ファイバコネクタの装着部を利用して、先端に光ファイバプラグが設置された擬似コードなどを確実に保持することが可能になる。
【００２６】
そして本発明では、前記課題の少なくとも１つを解決する為に、簡易に屋内配線を行うことのできる光ファイバ接続用簡易端末処理構造体を提供する。
【００２７】
即ち、単位長さに切断された複数心の光ファイバ心線と、光ファイバ心線が挿通されるチューブの外側に、内側を補強繊維層で補強した外被を被覆してなる複数の光ファイバ用擬似コードとを備え、前記複数心の光ファイバ心線の一端を心数分に分割して夫々を前記擬似コードのチューブ内に挿通させると共に、当該光ファイバ用擬似コードの基端側には前記本発明にかかる端末処理構造を形成して、当該端末処理構造体を保持体内に収容固定し、更に、当該光ファイバ心線を挿通させた光ファイバ用擬似コードの先端側に光ファイバプラグを接続した、光ファイバ接続用簡易端末処理構造体である。
【００２８】
かかる光ファイバ接続用簡易端末処理構造体では、複数心の光ファイバ心線の先端側を心数分に分割し、分割した心線の夫々を、端末処理構造体が形成されている光ファイバ用擬似コードのチューブ内を通し、そして夫々の擬似コードの先端に光ファイバプラグが形成される。このような光ファイバ接続用簡易端末処理構造体を使用する場合には、端末処理構造体の加工、及び光ファイバプラグの接続加工は製造工場内にて加工され、光成端箱を設置する建物の施行現場における作業を低減させることが出来、施行現場での作業としては、当該構造体における基部は複数心の光ファイバ心線であることから、外部から引き込まれた複数心の光ファイバ心線とは１箇所で融着するだけで、先端に光ファイバプラグが設けられて分岐された複数心線を、外部から引き込んだケーブルに接続することができる。これにより心線同士の接続回数を大幅に減らすことができ、現場における施工工程、および施工費用の削減を果たすことができる。
【００２９】
また、上記光ファイバ接続用簡易端末処理構造体に関連し、分岐した複数の心線のうちの何れか１つ以上に光ファイバジャックを設置し、他の心線を光ファイバ用擬似コード内に導くこともできる。
【００３０】
即ち、単位長さに切断された複数心の光ファイバ心線と、光ファイバ心線が挿通されるチューブの外側に、内側を補強繊維層で補強した外被を被覆してなる１又は２以上の光ファイバ用擬似コードとを備え、前記複数心の光ファイバ心線の一端を心数分に分割し、少なくとも一本の光ファイバ心線の先端に光ファイバジャックを接続すると共に、残りの光ファイバ心線の夫々を前記擬似コードのチューブ内に挿通させ、当該光ファイバ用擬似コードの基端側には前記本発明にかかる端末処理構造を形成して、当該端末処理構造体を保持体内に収容固定し、更に、当該光ファイバ心線を挿通させた光ファイバ用擬似コードの先端側に光ファイバプラグを接続した、光ファイバ接続用簡易端末処理構造体である。
【００３１】
かかる態様の光ファイバ接続用簡易端末処理構造体によれば、光成端箱に、光ファイバジャックと、先端に光ファイバプラグが形成された擬似コードとを任意の個数で設けることができる。
【００３２】
そして、上記本発明にかかる光ファイバ接続用簡易端末処理構造体を用いた光成端箱を設置する際には、外部から引き込まれた複数心線の光ファイバと、光ファイバ接続用簡易端末処理構造体の複数心の光ファイバ心線とを一括融着し、融着部を光成端箱内に収装すればよい。即ち、このような光成端箱の施工方法によれば、外部から引き込んだ複数心線の光ファイバと、光ファイバ接続用簡易端末処理構造体の複数心線の光ファイバとを一括して融着することができ、これにより心線同士の接続回数を大幅に減らし、現場における施工工程、および施工費用の削減をもたらすことができる。
【発明を実施するための最良の形態】
【００３３】
以下図面に示す１つの実施の形態に基づいて、本発明にかかる擬似コード２０の端末処理構造２１、これを用いた光ファイバ接続用簡易端末処理構造体６６、および光成端箱１を具体的に説明する。
【００３４】
先ず、図１〜３に基づいて、本実施の形態にかかる光成端箱１の全体構造を具体的に示す。図１は、この実施例にかかる光成端箱１を示す分解斜視図であり、図２は当該光成端箱１を分解した状態における正面図、図３はこの光成端箱１の（Ｉ）正面図、（ＩＩ）底面図、（ＩＩＩ）右側面図、（ＩＶ）背面図、（Ｖ）Ａ−Ａ断面図、（ＶＩ）Ｂ−Ｂ断面図、（ＶＩＩ）Ｃ−Ｃ断面図である。
【００３５】
この実施例に示す光成端箱１は、規格化された配線器具用プレートと略同じ大きさに形成され、建築物の壁面や分電盤内に設置することができるように構成されている。この光成端箱１は入力側の光ファイバケーブル心線を、複数心の光ファイバ心線を分割してなる出力側の光ファイバコードや出力側の光ファイバジャック４０に接続するとともに、心線の余長部分を収容することができるように構成されている。
【００３６】
かかる光成端箱１の筐体１０は、ボックス本体１１と、このボックス本体１１に収容される光ファイバ心線５０のガイドトレー１２と、その上から被さる内カバー１３と、この内カバー１３上に取り付けられる化粧カバー１４とで構成されており、夫々は螺子１８や嵌め込み構造１９等によって着脱自在に一体化されている。またこの筐体１０の下面には、光ファイバケーブルを外部から筐体１０内に導くと共に、これを把持するケーブル案内部１５が形成されており、更に後述する光ファイバジャック４０や、端末処理構造２１を有する擬似コード２０を保持する保持体３０が装着される装着部１６が設けられている。
【００３７】
装着部１６には先端にフックが形成されたコ字状の係止部（図示せず）が立設され、擬似コード２０の保持体３０や、光ファイバジャック４０を両側から係止して光成端箱１の筐体１０に固定できるようになっている。また、装着部１６及び内カバー１３には、擬似コード２０の保持体３０および光ファイバジャック４０の上下面に形成されている凸部１７が係合する係合溝４１がそれぞれ設けられ、これら保持体３０や光ファイバジャック４０の進退方向への移動を阻止している。すなわちこの装着部１６に設置された保持体３０や光ファイバジャック４０は、内カバー１３が取り付けられることにより、当該凸部１７と係合溝４１とが嵌り合い、その抜け出しが阻止されて確実の光成端箱１に固定されることになる。
【００３８】
図１および２に示すように、光成端箱１の筐体１０内には、複数心の光ファイバ心線（光ファイバコードの心線）が巻き回されている。この複数心の光ファイバ心線は、その先端側が１本毎の心線５０に分割され、その内の３本を端末処理構造２１が施された擬似コード２０内を通した状態で筐体１０の外に引き出されている。そしてその先端には光ケーブルプラグ６０を設けて、電子機器や他の光成端箱に接続される光ファイバコードとして利用されている。
【００３９】
一方、擬似コード２０の基端側には端末処理構造２１が設けられており、この端末処理構造２１が設けられた領域は、保持体３０内に収容された状態で、前記の光成端箱１の装着部１６に収容されている。そして１本の心線毎に分割された残りの１本の光ファイバ心線５０には、光ファイバジャック４０が設けられ、当該光ファイバジャック４０も光成端箱１における装着部１６に収容されている。
【００４０】
このように構成された光成端箱１には、これを組み立てた状態において、図３（Ｉ）（ＩＩ）に示すように、正面に化粧カバー１４が出現し、その下面には１つの光ファイバジャック４０と、先端に光ファイバプラグ６０が設けられた３つの出力用光ファイバコード（心線５０が挿通された擬似コード２０）が出現する。またボックス本体１１の背面には、図３（ＩＩＩ）に示すように、螺子によって環状の磁石６１が固定されており、更にこの光成端箱１を固定する為の螺子孔６２が形成されている。ボックス本体１１内に収容される心線は、図３（Ｖ）〜（ＶＩＩ）に示すように、当該ボックス本体１１内に収容された光ファイバ心線がガイドトレー１２に巻き回されている。図３（Ｖ）のＡ−Ａ断面図の下方には光ファイバジャック４０が現れ、図３（ＶＩ）のＢ−Ｂ断面図の下方には出力用光ファイバコードを保持する保持体３０が現れている。
【００４１】
本実施の形態にかかる光成端箱１は以上のような構成を有しており、複数心からなる光ファイバ心線の先端側を心数分に分割して、その内の少なくとも１つ以上の心線５０を出力側の光ファイバコードとして利用できる様にするものである。ここで光ファイバコードとして光成端箱１から引き出す場合には、心線５０の曲折や断線などを阻止する為に、その外側を保護する必要がある。しかしながら、従来は複数心の光ファイバ心線を分けて引き出したとしても、その外側を被覆する有効な手段がなく、さらに心線５０を被覆する外被５３を光成端箱１に対して確実に固定する方法が存在しなかった。
【００４２】
そこで本発明では、分割した心線５０の外被５３を形成するものとして、心線５０を挿通させることのできるチューブ５１と、このチューブ５１の外周を覆う補強繊維層５２と、この補強繊維層５２の外側を被覆する外被５３とからなる光ファイバ用擬似コード２０を使用し、この擬似コード２０を光成端箱１に保持・固定する為の構造および部品を提供するものである。
【００４３】
以下、この擬似コード２０を光成端箱１に保持・固定する為の構造（端末処理構造２１）および部品（保持体３０）の具体例を、図４〜７に基づいて説明する。
【００４４】
図４は、この実施の形態における光ファイバ用擬似コード２０の端末処理構造２１を示す（Ｉ）正面図、（ＩＩ）Ａ−Ａ断面図、（ＩＩＩ）Ｂ−Ｂ断面図であり、図５は、この端末処理構造２１を収容する保持体３０を構成するケース３１とカバー３２の夫々を４方向からみた分解斜視図であり、図６はこの端末処理構造２１を収容した保持体３０を示す（Ｉ）正面図、（ＩＩ）側面図、（ＩＩＩ）カバー３２を外した状態の正面図、（ＩＶ）Ａ−Ａ断面図、（Ｖ）底面図であり、図７は、光ファイバ用擬似コード２０の端部に形成された端末処理構造２１を保持体３０に収容した状態を示す斜視図であり、図８は、光ファイバ接続用簡易端末処理構造体６６の１つの実施形態を示す略図であり、図９は、他の形態の保持体３０に端末処理構造２１を収容した（Ｉ）正面図、（ＩＩ）Ａ−Ａ断面図、（ＩＩＩ）底面図である。
【００４５】
本実施の形態では、前記の通り、心線５０が挿入されるチューブ５１の外側を、内側に補強繊維層５２を設けた外被５３で被覆してなる光ファイバ用擬似コード２０を用いて、光成端箱１の外に引き出される心線５０を保護し、その先端に光ファイバプラグ６０を設けて、出力用光ファイバコードとするものである。そして、この擬似コード２０を光成端箱１に固定する為の構造として、当該擬似コード２０の基端側に端末処理構造２１を形成する。
【００４６】
かかる端末処理構造２１は、図４に示すように、擬似コード２０の外被５３の外に一定の厚みを有する筒状体５４を被せ、当該筒状体５４よりも基端側に突出する擬似コード２０の外被５３を剥がして補強繊維層５２を露出させてから、これを前記筒状体５４の外側に折り返し、更にその外側に熱収縮チューブ５５を被せてこれを収縮させ、擬似コード２０と筒状体５４とを一体化している。擬似コード２０に外装される筒状体５４は、金属などの様に一定の保形強度を有するものとして形成され、その長さは後述の保持体３０内に確保される収容空間３３の内に収まる長さに形成されている。より具体的には、熱収縮チューブ５５の外周面に出現する段差部５６（筒状体５４の厚みによって形成される段差部５６）が、保持体３０内に確保される収容空間３３の内におさまり、更に当該空間内に形成される張力受部３４によって支持される長さに形成される。
【００４７】
特に、この態様における熱収縮チューブ５５の内側には、擬似コード２０の外被５３を覆う部分に接着剤５７が充填されており、これにより熱収縮チューブ５５と擬似コード２０との一体性が高められている。更に、熱収縮チューブ５５は、筒状体５４よりも先端側（擬似コード２０側）に延伸する領域（Ｌ２）が、筒状体５４よりも基端側（心線５０が通されるチューブ５１側）に延伸する領域（Ｌ１）よりも長く形成されている。これにより、接着剤５７による熱収縮チューブ５５と擬似コード２０の外被５３との接合は一層強固なものとなる。なお、この接着剤５７は、擬似コード２０の外被５３を覆う部分に接着剤５７を充填した後に熱収縮チューブ５５を外装する他、予め接着剤５７を内面に付着させた接着剤付熱収縮チューブを使用してもよい。
【００４８】
また、上記端末処理構造２１が形成された部分を収容する保持体３０は、図５および図６に示すように、ケース３１とカバー３２とで構成されており、ケース３１の側面に形成された、外側に突起する爪部３８が、カバー３２の側面に形成された開口３９に内側から嵌って両者が一体化されるように形成されている。このケース３１およびカバー３２の端面には、組み合わさった状態において、擬似コード２０を通す孔部を形成する窪み３５と、擬似コード２０内のチューブ５１を通す孔部を形成する窪み３６が対向する位置に形成されており、またその内部には端末処理構造２１を収容する収容空間３３が確保されている。この収容空間３３内には、端末処理構造２１の段差部５６を支持する張力受部３４が形成され、またこの張力受部３４間には、端末処理構造２１の熱収縮チューブ５５の外面に噛み合う鋸刃形状に形成された複数の突起部からなる外被把持部３７が形成されている。この実施の形態において、張力受部３４は、収容空間３３内に突出する様に形成され、その突出幅は段差部５６の通り抜けを阻止する程度に調整されておりこの端末処理構造２１が支持体内から抜け出ることを阻止している。
【００４９】
このように形成された保持体３０内に収容された端末処理構造２１は、その側面が外被把持部３７で支持され、また段差部５６が張力受部３４で支持されることから、当該保持体３０内に確実に保持されることになる。
【００５０】
またこの保持体３０は、ケース３１とカバー３２が組み合わさった状態において、保持体３０の正面となる面には、内カバー１３の裏側に形成された係合溝４１に係合する凸部１７が形成され、また保持体３０の背面となる面には、光ファイバ心線のガイドトレー１２に形成された係合溝４１に係合する凸部１７が夫々形成されている。各凸部と係合溝４１とは、この保持体３０の底面が、光成端箱１の底面と略面一になるように当該保持体３０を保持する位置に形成され、凸部と係合溝４１との係合により、この保持体３０は確実に光成端箱１に保持されることになる。
【００５１】
以上の様に形成された保持体３０は、図７に示すように、前記した擬似コード２０の端末処理構造２１を覆うようにして取り付けられる。具体的には端末処理構造をケース３１内に収容してからカバー３２を被せ、側面における爪部３８と開口３９とを係合させて両者を一体化している。これにより、端末処理構造２１を有する擬似コード２０の内部を心線５０が通ると共に、その先端側に光ファイバプラグ６０が接続され、基端部側の端末処理構造２１には保持体３０が設けられた光ファイバコード用配線単位６５が形成される。
【００５２】
このような光ファイバコード用配線単位６５における擬似コード２０を通る光ファイバ心線５０は、複数心の光ファイバ心線を１本毎の心線５０に分割したものであることから、複数心の光ファイバ心線全体としてみた場合には、図８に示すように、当該複数心の光ファイバ心線の先端側に、前記光ファイバコード用配線単位６５が複数設けられた、光ファイバ接続用簡易端末処理構造体６６が形成されることになる。なお、この光ファイバ接続用簡易端末処理構造体６６においては、保持体３０だけを別にしておき、施工現場において組合わせることも可能である。即ち、単位長さに切断された複数心の光ファイバ心線と、光ファイバ心線５０が挿通されるチューブ５１の外側に、内側を補強繊維層５２で補強した外被５３を被覆してなる複数の光ファイバ用擬似コード２０とを備え、前記複数心の光ファイバ心線の一端を心数分に分割して夫々を前記擬似コード２０のチューブ５１内に挿通させると共に、当該光ファイバ用擬似コード２０の基端側には本発明にかかる端末処理構造２１を形成し、更に、当該光ファイバ心線５０を挿通させた光ファイバ用擬似コード２０の先端側に光ファイバプラグ６０を接続した光ファイバ接続用簡易端末処理構造体６６、或いは分岐した複数の心線５０のうちの何れか１つ以上に光ファイバジャック４０を設置し、他の心線５０を光ファイバ用擬似コード２０内に導いた光ファイバ接続用簡易端末処理構造体６６として提供することもできる。
【００５３】
かかる光ファイバ接続用簡易端末処理構造体６６は、これを光成端箱１内に設置する場合には、複数心の心線になっている基部をガイドトレイ１２に巻き回し、各光ファイバコード用配線単位６５の保持体３０を、この光成端箱１の装着部１６に配置・固定することにより設置することができる。
【００５４】
そして、この光ファイバ接続用簡易端末処理構造体６６を、外部から引き込んだ光ファイバケーブル心線に接続する場合には、複数心の光ファイバ心線同士を光ファイバ融着器により、複数心を一括融着すれば完了することになる。
【００５５】
また、この光ファイバ接続用簡易端末処理構造体６６は、４心の光ファイバ心線を４本に分割して、その内の３本の心線５０について光ファイバコード用配線単位６５を形成し、残りの１本の心線５０には光ケーブルジャックを設けているが、その他にも分割した心線５０の全てについて光ファイバコード用配線単位６５を形成したり、あるいは２本の心線５０について光ファイバコード用配線単位６５を形成するなど、その数は任意に調整することができる。
【００５６】
図９は、保持体３０の他の実施の形態を示しており、この図に示す保持体３０も、前記端末処理構造２１をカバー３２するものとして使用することができる。この図９に示す保持体３０は、ケース３１とカバー３２とが側面において嵌合するのではなく、カバー３２はケース３１に収容された端末処理構造２１に被さってこれを覆い、下面に形成された窪みで熱収縮チューブ５５乃至は擬似コード２０の外被５３に噛合することで固定されている。なお、図９中、図６に示した保持体と同一の作用効果を奏する部分乃至構造については、同一符号を付してその説明を省略する。
【図面の簡単な説明】
【００５７】
【図１】本実施の形態にかかる光成端箱１を示す分解斜視図
【図２】当該光成端箱１を分解した状態における正面図
【図３】当該光成端箱１の（Ｉ）正面図、（ＩＩ）底面図、（ＩＩＩ）右側面図、（ＩＶ）背面図、（Ｖ）Ａ−Ａ断面図、（ＶＩ）Ｂ−Ｂ断面図、（ＶＩＩ）Ｃ−Ｃ断面図
【図４】本実施の形態における光ファイバ用擬似コードの端末処理構造を示す（Ｉ）正面図、（ＩＩ）Ａ−Ａ断面図、（ＩＩＩ）Ｂ−Ｂ断面図
【図５】当該端末処理構造を収容する保持体を構成するケースとカバーの夫々を４方向からみた分解斜視図
【図６】当該端末処理構造を収容した保持体を示す（Ｉ）正面図、（ＩＩ）側面図、（ＩＩＩ）カバーを外した状態の正面図、（ＩＶ）Ａ−Ａ断面図、（Ｖ）底面図
【図７】光ファイバ用擬似コードの端部に形成された端末処理構造を保持体に収容した状態を示す斜視図
【図８】光ファイバ接続用簡易端末処理構造体の１つの実施形態を示す略図
【図９】他の形態の保持体に端末処理構造を収容した（Ｉ）正面図、（ＩＩ）Ａ−Ａ断面図、（ＩＩＩ）底面図
【符号の説明】
【００５８】
１ 光成端箱
１０ 筐体
１１ ボックス本体
１２ ガイドトレー
１３ 内カバー
１４ 化粧カバー
１６ 装着部
１７ 凸部
２０ 光ファイバ用擬似コード
２１ 端末処理構造
３０ 保持体
３１ ケース
３２ カバー
３３ 収容空間
３４ 張力受部
３７ 外被把持部
３８ 爪部
４０ 光ファイバジャック
５０ 光ファイバ心線
５１ チューブ
５２ 補強繊維層
５３ 外被
５４ 筒状体
５５ 熱収縮チューブ
５６ 段差部
５７ 接着剤
６０ 光ケーブルプラグ
６５ 光ファイバコード用配線単位
６６ 光ファイバ接続用簡易端末処理構造体
【図１】
2008096847.tif 000003
【図２】
2008096847.tif 000004
【図３】
2008096847.tif 000005
【図４】
2008096847.tif 000006
【図５】
2008096847.tif 000007
【図６】
2008096847.tif 000008
【図７】
2008096847.tif 000009
【図８】
2008096847.tif 000010
【図９】
2008096847.tif 000011